(57)【要約】      （修正有）【課題】竹製円弧フレームモジュール化生産の接合構造の提供。【解決手段】竹製円弧フレームモジュール化生産の接合構造は、適当な長さ、数量の竹材が、型により、予め湾曲した円弧部分１１を成型し、円弧部分を接合して、封閉のフレーム体１を形成し、これらの円弧部分は、四角形、円形、楕円形等の幾何学形のフレーム体に構成でき、更に、板棒２と板塊を組み合わせて、収納箱や置物箱を構成することができ、収納箱と置物箱の箱体形状は、フレーム体の形状によって決まる。【選択図】図７
0003137964.tif 000002
【実用新案登録請求の範囲】
【請求項１】
竹製円弧フレームモジュール化生産の接合構造であって、
複数の円弧部分からなり、前記複数の円弧部分は、長さのある竹材を、型により、L字型、門型、円弧形の形状に成型し、四個の前記L字型円弧部分、二個の門型円弧部分、或いは、門型円弧部分に、二個のL字型円弧部分を合わせて、円弧を有する四角形フレーム体を構成し、四個、三個、或いは、二個の円弧部分により、円形、或いは、楕円形のフレーム体を構成することを特徴とする竹製円弧フレームモジュール化生産の接合構造。
【請求項２】
前記円弧部分は実芯であることを特徴とする請求項１に記載の竹製円弧フレームモジュール化生産の接合構造。
【請求項３】
前記円弧部分はスロットを有し、これらの円弧部分はフレーム体に構成された後、前記スロットが連接されて環形槽になることを特徴とする請求項１に記載の竹製円弧フレームモジュール化生産の接合構造。
【考案の詳細な説明】
【技術分野】
【０００１】
本考案はモジュール化により、竹材に加工を施し、円弧形のフレーム体を大量生産する接合構造に関する。
【背景技術】
【０００２】
板を利用して製造する家具の構造は、フレーム体と編織体からなる。編織体は多孔の造型に編織し、フレーム体と編織体の組み合わせ構造は、多くが粘合方式を採用するか、或いは、線材による穿設縫合方式により、フレーム体内側に編織体を固定する。別の公知の家具構造は、編織体が、藤線により、交錯した縦竹材と横竹材を結固してなるので、編成速度が遅く、コストも高い。
【考案の開示】
【考案が解決しようとする課題】
【０００３】
本考案は、大量生産に適し、竹材で円弧形のフレーム体を成型すると共に、これらのフレーム体を利用し、更に美しい美観の竹製容器を提供することを目的とする。
【課題を解決するための手段】
【０００４】
本考案は、適当な長さ、及び、数量の竹材を採用し、型により、まず円弧部分を成型し、円弧部分を接合して、封閉したフレーム体を形成する。これらのフレーム体は、更に、板棒、或いは、板塊により、収納箱や置物箱を構成することができる。
【０００５】
本考案は、型で、圧縮成型方式により、適当な長さの竹材を円弧部分に形成し円弧部分を連接してフレーム体にし、これらのフレーム体は、収納箱や置物箱を構成することができる。        
【考案の効果】
【０００６】
本考案は、元は一体のフレーム体を複数の円弧部分に分け、円弧部分をフレーム体に構成し、予め圧縮成型する方式により、一般に、加工定型しにくい竹材を、円弧状のフレーム体にすることができる。
【考案を実施するための最良の形態】
【０００７】
図１は本考案の四角形フレーム体を製造する実施例を示す図で、型により、適当な長さの竹材を、適当な圧力圧縮で、二個の実芯の門型円弧部分１１に成型すると共に、適当な接合技術により、二個の門型円弧部分１１の両端を接合して、四角形のフレーム体１を構成する。円弧部分１１の連接については、粘合、鎖接等の方式で環状封閉のフレーム体に結合する。
【０００８】
図２は、本考案の、同様に、型により、適当な長さの竹材を、適当な圧力で、四個の実芯のL字型の円弧部分１１に成型すると共に、適当な接合技術により、四個の円弧部分１１の端部を相互に接合して、四角形のフレーム体１を構成する。
【０００９】
図３は、本考案の、同様に、型により、適当な長さの竹材を、適当な圧力で、一個の実芯の門型の円弧部分１１、及び、二個のL字型円弧部分１１に成型すると共に、適当な接合技術により、一個の円弧部分１１と二個のL字型円弧部分１１の端部を相互に接合して、四角形のフレーム体１を構成する。
【００１０】
図４Aで示されるように、本考案は、まず四個のL字型円弧部分１１を成型し、円弧部分を四角形フレーム体１に構成し、二個の円弧部分１１間に接合面Aを有するので、全部で４個の接合面Aを有する。
【００１１】
図４Bで示されるように、本考案は、まず二個の長い門型円弧部分１１を成型し、二個の円弧部分を四角形フレーム体１に構成し、二個の円弧部分１１間に接合面Aを有するので、全部で二個の接合面Aを有する。
【００１２】
図４Cで示されるように、本考案は、まず二個の短い門型円弧部分１１を成型し、二個の円弧部分を四角形フレーム体１に構成し、二個の円弧部分１１間に接合面Aを有するので、全部で二個の接合面Aを有する。
【００１３】
図４Dで示されるように、本考案は、まず二個のL字型円弧部分１１と一個の門型円弧部分１１を成型し、三個の円弧部分を四角形フレーム体１に構成し、二個の円弧部分１１間に接合面Aを有するので、全部で三個の接合面Aを有する。
【００１４】
図５Aで示されるように、本考案は、四個の円弧部分１１により、円形フレーム体１に構成する実施例を示し、二個の円弧部分１１間に接合面Aを有するので、全部で４個の接合面Aを有する。
【００１５】
図５Bで示されるように、本考案は、二個の円弧部分１１により、円形フレーム体１に構成する実施例を示し、二個の円弧部分１１間に接合面Aを有するので、全部で二個の接合面Aを有する。
【００１６】
図５Cで示されるように、本考案は、三個の円弧部分１１により、円形フレーム体１に構成する実施例を示し、二個の円弧部分１１間に接合面Aを有するので、全部で三個の接合面Aを有する。
【００１７】
図６Aで示されるように、本考案は、四個の円弧部分１１により、楕円形フレーム体１に構成する実施例を示し、二個の円弧部分１１間に接合面Aを有するので、全部で四個の接合面Aを有する。
【００１８】
図６Bで示されるように、本考案は、二個の大きい円弧部分１１により、楕円形フレーム体１に構成する実施例を示し、二個の円弧部分１１間に接合面Aを有するので、全部で二個の接合面Aを有する。
【００１９】
図６Cで示されるように、本考案は、二個の小さい円弧部分１１により、楕円形フレーム体１に構成する実施例を示し、二個の円弧部分１１間に接合面Aを有するので、全部で二個の接合面Aを有する。
【００２０】
図６Dで示されるように、本考案は、三個の円弧部分１１により、楕円形フレーム体１に構成する実施例を示し、二個の円弧部分１１間に接合面Aを有するので、全部で三個の接合面Aを有する。
【００２１】
図７で示されるように、本考案の成型後の複数のL字型円弧部分１１は、その上にスロット１１１を加工してもよく、四角形フレーム体１に構成した後、スロット１１１を環状槽に連接する。二組のフレーム体１を対称に設置した後、両フレーム体１のスロット１１１間に板棒２を挿設し、四角形の収納箱、或いは、置物箱を構成する。
【００２２】
図８で示されるように、本考案の成型後の複数の弧状の円弧部分１１は、その上にスロット１１１を加工してもよく、四角形フレーム体１に構成した後、スロット１１１を環状槽に連接する。二組のフレーム体１を対称に設置した後、両フレーム体１のスロット１１１間に板棒２を挿設し、円形の収納箱、或いは、置物箱を構成する。
【００２３】
図９で示されるように、本考案で成型された四角形のフレーム体１は、板棒、及び、板塊を利用して、更に、中空状の四角形の収納箱、或いは、置物箱を構成することができる。
【００２４】
図１０で示されるように、本考案で成型された円形のフレーム体１は、板棒、及び、板塊を利用して、更に、中空状の円形の収納箱、或いは、置物箱を構成することができる。
【００２５】
図１１で示されるように、本考案で成型された楕円形のフレーム体１は、板棒、及び、板塊を利用して、更に、中空状の楕円形の収納箱、或いは、置物箱を構成することができる。
【図面の簡単な説明】
【００２６】
【図１】本考案の型により竹材を二個の門型円弧部分を成型すると共に、二個の門型円弧部分を四角形のフレーム体に構成する実施例の立体図である。
【図２】本考案の型により竹材を四個のL字型円弧部分を成型すると共に、四個のL字型円弧部分を四角形のフレーム体に構成する実施例の立体図である。
【図３】本考案の型により竹材を一個の門型円弧部分、及び、二個のL字型円弧部分を成型すると共に、一個の門型円弧部分と二個のL字型円弧部分を四角形のフレーム体に構成する実施例の立体図である。
【図４Ａ】本考案の四個のL字型円弧部分により四個の接合面を有する四角形フレーム体を構成する実施例の平面図である。
【図４Ｂ】本考案の二個の長い門型円弧部分により二個の接合面を有する四角形フレーム体を構成する実施例の平面図である。
【図４Ｃ】本考案の二個の短い門型円弧部分により二個の接合面を有する四角形フレーム体を構成する実施例の平面図である。
【図４Ｄ】本考案の一個の門型円弧部分と二個のL字型円弧部分により三個の接合面を有する四角形フレーム体を構成する実施例の平面図である。
【図５Ａ】本考案の四個の弧形円弧部分により四個の接合面を有する円形フレーム体を構成する実施例の平面図である。
【図５Ｂ】本考案の二個の半円形円弧部分により二個の接合面を有する円形フレーム体を構成する実施例の平面図である。
【図５Ｃ】本考案の三個の弧形円弧部分により三個の接合面を有する円形フレーム体を構成する実施例の平面図である。
【図６Ａ】本考案の四個の円弧部分により四個の接合面を有する楕円形フレーム体を構成する実施例の平面図である。
【図６Ｂ】本考案の二個の弧度が大きい円弧部分により二個の接合面を有する楕円形フレーム体を構成する実施例の平面図である。
【図６Ｃ】本考案の二個の弧度が小さい円弧部分により二個の接合面を有する楕円形フレーム体を構成する実施例の平面図である。
【図６Ｄ】本考案の三個の円弧部分により三個の接合面を有する楕円形フレーム体を構成する実施例の平面図である。
【図７】本考案のL字型円弧部分にスロットを有し、板棒を挿設して、四角形の収納箱、或いは、置物箱を構成する実施例の立体図である。
【図８】本考案の弧形円弧部分にスロットを有し、板棒を挿設して、円形の収納箱、或いは、置物箱を構成する実施例の立体図である。
【図９】本考案で成型された四角形のフレーム体は、板棒、及び、板塊を利用して、更に、中空状の四角形の収納箱、或いは、置物箱を構成する実施例を示す図である。
【図１０】本考案で成型された円形のフレーム体は、板棒、及び、板塊を利用して、更に、中空状の円形の収納箱、或いは、置物箱を構成する実施例を示す図である。
【図１１】本考案で成型された楕円形のフレーム体は、板棒、及び、板塊を利用して、更に、中空状の楕円形の収納箱、或いは、置物箱を構成する実施例を示す図である。
【符号の説明】
【００２７】
１        フレーム体
１１      円弧部分
１１１    スロット
２        板棒
A        接合面
【図１】
0003137964.tif 000003
【図２】
0003137964.tif 000004
【図３】
0003137964.tif 000005
【図４Ａ】
0003137964.tif 000006
【図４Ｂ】
0003137964.tif 000007
【図４Ｃ】
0003137964.tif 000008
【図４Ｄ】
0003137964.tif 000009
【図５Ａ】
0003137964.tif 000010
【図５Ｂ】
0003137964.tif 000011
【図５Ｃ】
0003137964.tif 000012
【図６Ａ】
0003137964.tif 000013
【図６Ｂ】
0003137964.tif 000014
【図６Ｃ】
0003137964.tif 000015
【図６Ｄ】
0003137964.tif 000016
【図７】
0003137964.tif 000017
【図８】
0003137964.tif 000018
【図９】
0003137964.tif 000019
【図１０】
0003137964.tif 000020
【図１１】
0003137964.tif 000021